(57)【要約】【課題】従来よりも所望の動作履歴情報を容易に見つけ出すことが出来る画像形成装置を提供することを目的とする。【解決手段】画像形成装置が、画像形成の動作履歴情報を表示部に表示する画像形成装置であって、操作部と、前記動作履歴情報の一覧を表示する一覧表示領域と、前記操作部が受け付けた選択指示に基づいて前記動作履歴の一覧の中から選択された動作履歴情報の詳細を表示する詳細表示領域から構成される動作履歴画面を前記表示部に表示させる制御部とを具備する。【選択図】図１
2009284204.tif 000002
【特許請求の範囲】
【請求項１】
画像形成の動作履歴情報を表示部に表示する画像形成装置であって、
操作部と、
前記動作履歴情報の一覧を表示する一覧表示領域と、前記操作部が受け付けた選択指示に基づいて前記動作履歴の一覧の中から選択された動作履歴情報の詳細を表示する詳細表示領域から構成される動作履歴画面を前記表示部に表示させる制御部とを具備することを特徴とする画像形成装置。
【請求項２】
前記制御部は、前記操作部が表示切替指示を受け付けると、前記動作履歴画面と、前記動作履歴情報の一覧のみを表示する動作履歴一覧画面との表示を前記表示部に切り替えさせることを特徴とする請求項１に記載の画像形成装置。
【請求項３】
前記制御部は、動作履歴情報の決定指示を前記操作部が受け付けると、当該決定指示によって決定された動作履歴情報に登録されている画像形成条件を、これから実行する画像形成の画像形成条件として設定することを特徴とする請求項１または２に記載の画像形成装置。
【請求項４】
前記制御部は、動作履歴情報に登録されている画像形成条件が、これから実行する画像形成の画像形成条件として設定することが不可能である場合に、当該動作履歴情報を前記表示部にグレイアウト表示させると共に当該動作履歴情報に対する前記決定指示を前記操作部に受け付けさせないことを特徴とする請求項３記載の画像形成装置。
【発明の詳細な説明】
【技術分野】
【０００１】
本発明は、画像形成装置に関する。
【背景技術】
【０００２】
現在、複写機及び複合機等の画像形成装置では、コピーまたはＦＡＸ送信等における画像形成条件及び動作内容を動作履歴情報として記憶できるものが存在する。そして、このような画像形成装置によって、ユーザは、以前と同じ画像形成条件で画像形成を実行する際に、既に記憶されている複数の動作履歴情報の中から所望の動作履歴情報を選択することによって、画像形成条件を再設定しなくても以前と同じ画像形成条件で画像形成を実行することが出来る。
【０００３】
このような動作履歴情報を記憶する画像形成装置として、下記特許文献１に、操作者が所望の操作履歴情報（上記動作履歴情報に相当）を選択することによって操作内容を再利用することができる画像形成装置が開示されている。この画像形成装置では、メインコントローラ部が、操作者を認証するための個人認証を行い、ＨＤＤ部に記憶されている画像形成条件が登録された操作履歴情報の中から個人認証された個人の操作履歴情報を液晶パネルに表示させ、液晶パネルに表示させた操作履歴情報の中から任意の操作履歴情報が選択されると、この選択された操作履歴情報に登録されている内容に基づいて画像形成における画像形成条件を設定する。
【０００４】
また、下記特許文献２には、過去に操作されたことがない画像形成装置であって、過去に操作されたことがある同種の画像形成装置が通信可能である場合に、この同種の画像形成装置に保存されている操作履歴情報を利用することによって画像形成装置毎に保存されている操作履歴情報を有効に活用して操作性及び生産性を向上させることが出来る画像形成装置が開示されている。この画像形成装置では、メインコントローラ部が、操作者によって入力された画像形成条件が登録された操作履歴情報をＨＤＤ部に記憶させ、ネットワークを介して通信可能な他の１つまたは複数の画像形成装置から操作履歴情報を収集し、自身のＨＤＤ部に記憶された操作履歴情報と他の１つまたは複数の画像形成装置から収集された操作履歴情報とを統合し、この統合された操作履歴情報を液晶パネル部に表示させ、液晶パネルに表示された操作履歴情報の中から任意の操作履歴情報が選択されると、この選択された操作履歴情報に登録されている内容に基づいて画像形成における画像形成条件を設定する。
【特許文献１】特開２００５−１５３３４６号公報
【特許文献２】特開２００５−２９７４８８号公報
【発明の開示】
【発明が解決しようとする課題】
【０００５】
ところで、上記従来技術では、過去の画像形成における画像形成条件が登録された動作歴情報を液晶パネルに表示させているが、一件ずつしか動作履歴情報を液晶パネルに表示させていない。その為、ユーザは、複数の動作履歴情報の中から所望の動作履歴情報を見つけ出す為に、液晶パネルの動作履歴情報の表示の切り替えを繰り返しておこなわなければならない。すなわち、上記従来技術では、ユーザは画像形成装置に記憶されている動作履歴情報の中から所望の動作履歴情報を容易に見つけ出すことが困難である。
【０００６】
本発明は、上述した事情に鑑みてなされたものであり、従来よりも所望の動作履歴情報を容易に見つけ出すことが出来る画像形成装置を提供することを目的とする。
【課題を解決するための手段】
【０００７】
上記目的を達成するために、本発明では、画像形成装置に係る第１の解決手段として、画像形成の動作履歴情報を表示部に表示する画像形成装置であって、操作部と、前記動作履歴情報の一覧を表示する一覧表示領域と、前記操作部が受け付けた選択指示に基づいて前記動作履歴の一覧の中から選択された動作履歴情報の詳細を表示する詳細表示領域から構成される動作履歴画面を前記表示部に表示させる制御部とを具備するという手段を採用する。
【０００８】
本発明では、画像形成装置に係る第２の解決手段として、上記第１の解決手段において、前記制御部は、前記操作部が表示切替指示を受け付けると、前記動作履歴画面と、前記動作履歴情報の一覧のみを表示する動作履歴一覧画面との表示を前記表示部に切り替えさせるという手段を採用する。
【０００９】
本発明では、画像形成装置に係る第３の解決手段として、上記第１または第２の解決手段において、前記制御部は、動作履歴情報の決定指示を前記操作部が受け付けると、当該決定指示によって決定された動作履歴情報に登録されている画像形成条件を、これから実行する画像形成の画像形成条件として設定するという手段を採用する。
【００１０】
本発明では、画像形成装置に係る第４の解決手段として、上記第３の解決手段において、前記制御部は、動作履歴情報に登録されている画像形成条件が、これから実行する画像形成の画像形成条件として設定することが不可能である場合に、当該動作履歴情報を前記表示部にグレイアウト表示させると共に当該動作履歴情報に対する前記決定指示を前記操作部に受け付けさせないという手段を採用する。
【発明の効果】
【００１１】
本発明によれば、画像形成装置が、画像形成の動作履歴情報を表示部に表示する画像形成装置であって、操作部と、動作履歴情報の一覧を表示する一覧表示領域と、操作部が受け付けた選択指示に基づいて動作履歴の一覧の中から選択された動作履歴情報の詳細を表示する詳細表示領域から構成される動作履歴画面を表示部に表示させる制御部とを具備する為、ユーザは、動作履歴情報の一覧によって所望の動作履歴情報を容易に見つけることができ、さらに選択された動作履歴情報の詳細を詳細表示領域に表示することによって動作履歴情報の一覧に表示しきれない詳細な内容も正確に認識することが出来る。
【発明を実施するための最良の形態】
【００１２】
以下、図面を参照して、本発明の一実施形態について説明する。本発明の画像形成装置の一つである複写機能、印刷機能及びＦＡＸ送信／受信機能を併せ持つ複合機に関する。図１は本実施形態に係る複合機Ａの機能ブロック図である。複合機Ａは、ＣＰＵ(Central Processing Unit)１、ＲＯＭ(Read Only Memory)２、ＲＡＭ(Random Access Memory)３、各種センサ群４、用紙搬送部５、画像読取部６、画像データ記憶部７、画像形成部８、通信Ｉ／Ｆ部９、操作表示部１０及び動作履歴情報記憶部１１を備えている。
【００１３】
ＣＰＵ１は、ＲＯＭ２に記憶されている制御プログラム、画像データ記憶部７に記憶されている原稿画像データ、通信Ｉ／Ｆ部９を介して外部機器から入力される各種指示、操作表示部１０から入力される操作指示に基づいて複合機Ａの全体動作を制御する。このＣＰＵ１の制御処理の詳細については、以下に複合機Ａの動作として説明する。
ＲＯＭ２は、ＣＰＵ１で実行される制御プログラム及びその他のデータを記憶する不揮発性メモリである。
ＲＡＭ３は、ＣＰＵ１が制御プログラムを実行して各種動作を行う際に、データの一時保存先となるワーキングエリアとして用いられる揮発性メモリである。
【００１４】
各種センサ群４は、例えば用紙切れ検出センサや、用紙詰まり検出センサ、用紙位置検出センサ、温度センサ等の画像形成動作に必要な各種センサであり、それぞれのセンサで検出した各種の情報を検出信号としてＣＰＵ１に出力する。
用紙搬送部５は、用紙トレイに収納されている印刷用紙を画像形成部８に搬送するための搬送ローラ及び搬送ローラ駆動用のモータや、画像形成処理後の印刷用紙を図示しない排紙トレイに搬送するための搬送ローラ及び搬送ローラ駆動用のモータなどから構成されている。
画像読取部６は、ＡＤＦ（自動原稿送り装置）とＣＣＤ(Charge Coupled Device)センサ等を備え、ＡＤＦによって順次給紙される原稿の画像をＣＣＤセンサに読み取らせ、原稿画像に基づく原稿画像データを出力する。なお、画像読取部６は、原稿画像データをＣＰＵ１に出力し、一方、ＣＰＵ１は、原稿画像データを画像データ記憶部７に記憶させる。
【００１５】
画像データ記憶部７は、例えばフラッシュメモリであり、ＣＰＵ１の要求に応じて原稿画像データを記憶する一方、原稿画像データをＣＰＵ１に出力する。
画像形成部８は、ＣＰＵ１の制御の下、画像データ記憶部７に記憶されている原稿画像データに基づいて、用紙搬送部５から搬送される印刷用紙にトナーによって形成される印刷画像を転写し、当該印刷画像の定着処理を行う。
通信Ｉ／Ｆ部９は、図示しないパーソナルコンピュータ等の外部機器との間で各種信号の送受信を行い、ローカルエリアネットワークによって上記外部機器と接続されている。
【００１６】
操作表示部１０は、スタートキー、ストップキー、電源キー、テンキー（数値入力キー）、タッチパネル１０ａ、クリアキーやその他の各種操作キー、を備えており、それぞれのキーの操作指示をＣＰＵ１に出力すると共に、ＣＰＵ１の制御の下、タッチパネル１０ａに種々の画面を表示する。
動作履歴情報記憶部１１は、ＨＤＤ（Hard Disk Drive）から構成されている。周知のようにＨＤＤは、磁性体を塗布または蒸着したディスクを一定の間隔で何枚も重ね合わせた構造になっており、このディスクをモータで高速に回転させて磁気ヘッドによってデータを読み書きするものである。そして、動作履歴情報記憶部１１は、ＣＰＵ１の制御に基づいて、コピーまたはＦＡＸ送信等の各種機能における動作履歴情報が登録された動作履歴情報テーブルを記憶する。
【００１７】
図２は、上記動作履歴情報テーブルを示す模式図である。動作履歴情報テーブルは、図２に示すように、動作履歴情報番号毎に、動作機能、動作履歴情報及び動作終了時間が登録されたデータテーブルである。動作履歴情報番号は、各動作履歴情報が動作履歴情報テーブルに登録される際に割り当てられる識別番号であり、その動作履歴情報番号に対応付けられてコピーまたＦＡＸ送信等の動作機能と、その動作機能における動作履歴情報として、コピーであればページ集約及びステープル等のコピー条件またＦＡＸ送信であれば送信先ＦＡＸ番号及び両面ＦＡＸ送信等の情報が登録されている。また、その動作における動作終了時間も登録されている。ＣＰＵ１は、各機能の動作が終了するごとに動作履歴情報を動作履歴情報テーブルに登録する。
【００１８】
次に、上記のように構成された本実施形態に係る複合機Ａの動作について図３を参照して詳しく説明する。図３は、本実施形態に係る複合機Ａの動作を示すフローチャートである。
まず、ユーザが、複合機Ａのコピー機能における動作履歴情報を確認する為に、タッチパネル１０ａに表示されるコピーの条件等を操作する為のコピー操作画面の動作履歴表示ボタンを押下する。
そして、ＣＰＵ１は、動作履歴表示ボタンの押下によって操作表示部１０がコピー動作履歴表示指示を受けたか否か判定し（ステップＳ１）、ステップＳ１において『ＮＯ』と判定した場合には、すなわち操作表示部１０がコピー動作履歴表示指示を受け付けていない場合には、操作表示部１０がコピー動作履歴表示指示を受け付けるまで待機し、ステップＳ１において『ＹＥＳ』と判定した場合には、すなわち操作表示部１０がコピー動作履歴表示指示を受け付けた場合には、動作履歴情報記憶部１１に記憶されている動作履歴情報テーブルに基づいてコピー動作履歴一覧画面をタッチパネル１０ａに表示させる（ステップＳ２）。
【００１９】
上記コピー動作履歴一覧画面について図４を参照して説明する。図４は、コピー動作履歴一覧画面を示す図である。図４の（ａ）は、動作履歴情報が未選択である場合のコピー動作履歴一覧画面を示し、図４の（ｂ）は、動作履歴情報が選択された場合のコピー動作履歴一覧画面を示す。上記ステップＳ２において、ＣＰＵ１は、図４の（ａ）に示すコピー動作履歴一覧画面をタッチパネル１０ａに表示させる。このコピー動作履歴一覧画面には、動作履歴情報テーブルに登録されている動作履歴情報の中で動作機能が「コピー」である動作履歴情報が文字によって一覧で表示されると共に「戻る」ボタン、「ＯＫ」ボタン及び「切替」ボタンが表示されている。
【００２０】
このコピー動作履歴一覧画面における動作履歴情報は、動作履歴情報テーブルの動作終了時間に基づいて、最も最近のものを「〈１〉」として時系列順に並んでいる。なお、操作表示部１０は、「ＯＫ」ボタンの押下によってコピー条件設定指示を受け付け、「戻る」ボタンの押下によって前画面表示指示を受け付け、さらに「切替」ボタンの押下によって表示切替指示を受け付ける。操作表示部１０が、コピー条件決定指示、前画面表示指示または表示切替指示を受け付けた場合のＣＰＵ１の処理については、以下で説明する。
【００２１】
ＣＰＵ１は、上記ステップＳ２の後に、タッチパネル１０ａが表示する図４の（ａ）に示すコピー動作履歴一覧画面における所定の動作履歴情報の押下による当該動作履歴情報の選択指示または「切替」ボタンの押下によって表示切替指示を操作表示部１０が受け付けたか否か判定し（ステップＳ３）、ステップＳ３において操作表示部１０が動作履歴情報の選択指示を受け付けたと判定した場合には、コピー動作履歴一覧画面において選択された動作履歴情報を反転表示させる（ステップＳ4）。図４の（ｂ）に示すコピー動作履歴一覧画面が、選択された動作履歴情報が反転表示されたものである。上記ステップＳ４において、ＣＰＵ１は、図４の（ｂ）に示すコピー動作履歴一覧画面をタッチパネル１０ａに表示させる。
【００２２】
ＣＰＵ1は、ステップＳ３において操作表示部１０が表示切替指示を受け付けたと判定した場合には、コピー動作履歴一覧画面からコピー動作履歴詳細画面へ表示をタッチパネル１０ａに切り替えさせる（ステップＳ５）。上記コピー動作履歴詳細画面について図５を参照して説明する。図５は、コピー動作履歴詳細画面を示す図である。図５の（ａ）は、動作履歴情報が未選択である場合のコピー動作履歴詳細画面を示し、図５の（ｂ）は、動作履歴情報が選択された場合のコピー動作履歴詳細画面を示す。
【００２３】
上記ステップＳ２において、ＣＰＵ１は、図５の（ａ）に示すコピー動作履歴詳細画面をタッチパネル１０ａに表示させる。このコピー動作履歴詳細画面には、その左側に動作履歴情報が一覧で表示される一覧表示領域が設けられると共に右側に詳細表示領域が設けられている。この詳細表示領域には、タッチパネル１０ａの押下によって選択された動作履歴情報の詳細が表示される。また、このコピー動作履歴詳細画面には、図４の（ａ）及び（ｂ）に示すコピー動作履歴一覧画面と同様に、「戻る」ボタン、「ＯＫ」ボタン及び「切替」ボタンが表示されている。
【００２４】
そして、ＣＰＵ１は、上記ステップＳ５の後に、タッチパネル１０ａが表示する図５の（ａ）に示すコピー動作履歴詳細画面における所定の動作履歴情報の押下による当該動作履歴情報の選択指示または「切替」ボタンの押下によって表示切替指示を操作表示部１０を受け付けたか否か判定し（ステップＳ６）、ステップＳ６において操作表示部１０が表示切替指示を受け付けたと判定した場合には、ステップＳ２に移行して図４の（ａ）に示すコピー動作履歴一覧画面をタッチパネル１０ａに表示させ、ステップＳ６において操作表示部１０が動作履歴情報の選択指示を受け付けたと判定した場合には、コピー動作履歴詳細画面において選択された動作履歴情報を反転表示させると共に詳細表示領域に選択された動作履歴情報の詳細を文字によって表示させる（ステップＳ７）。図５の（ｂ）に示すコピー動作履歴詳細画面が、選択された動作履歴情報が反転表示されると共に詳細表示領域に動作履歴情報の詳細が表示されたものである。上記ステップＳ７において、ＣＰＵ１は、図５の（ｂ）に示すコピー動作履歴詳細画面をタッチパネル１０ａに表示させる。
【００２５】
ＣＰＵ１は、ステップＳ７の後に、タッチパネル１０ａが表示する図５の（ｂ）に示すコピー動作履歴詳細画面の「切替」ボタンの押下によって表示切替指示を操作表示部１０が受け付けたか否か判定し（ステップＳ８）、ステップＳ８において『ＹＥＳ』と判定した場合には、すなわち操作表示部１０が表示切替指示を受け付けたと判定した場合には、ステップＳ４に移行して図４の（ｂ）に示すコピー動作履歴一覧画面をタッチパネル１０ａに表示させる。
【００２６】
ＣＰＵ１は、ステップＳ８において『ＮＯ』と判定した場合には、すなわち操作表示部１０が表示切替指示を受け付けていない場合には、「ＯＫ」ボタンの押下によるコピー条件決定指示または「戻る」ボタンによる前画面表示指示を操作表示部１０が受け付けたか否か判定し（ステップＳ９）、ステップＳ９において操作表示部１０が前画面表示指示を受け付けたと判定した場合には、ステップＳ１に移行してコピー動作履歴一覧画面及びコピー動作履歴詳細画面の前に表示していたコピー操作画面に遷移する。
【００２７】
ＣＰＵ１は、ステップＳ９において操作表示部１０がコピー条件決定指示を受け付けたと判定した場合には、選択されている動作履歴情報をコピー条件へ設定すると共にそのコピー条件を反映したコピー操作画面をタッチパネル１０ａに表示させ（ステップＳ１０）、スタートキー押下によるコピー実行指示を操作表示部１０が受け付けたか否か判定する（ステップＳ１１）。
【００２８】
ＣＰＵ１は、ステップＳ１１において『ＮＯ』と判定した場合には、すなわち操作表示部１０がコピー実行指示を受け付けていない場合には、操作表示部１０がコピー実行指示を受け付けるまで待機し、ステップＳ１１において『ＹＥＳ』と判定した場合には、すなわち操作表示部１０がコピー実行指示を受け付けた場合には、ＡＤＦにセットされた原稿の原稿画像に基づいて画像読取部６に原稿画像データを生成させ、この原稿画像データ及びステップＳ１０において設定されたコピー条件に基づいて印刷用紙への画像形成を画像形成部８に実行させる（ステップＳ１２）。
【００２９】
また、ＣＰＵ１は、上記ステップＳ４の後に、タッチパネル１０ａが表示する図４の（ｂ）に示すコピー動作履歴一覧画面の「切替」ボタンの押下によって表示切替指示を操作表示部１０が受け付けたか否か判定し（ステップＳ１３）、ステップＳ１３において『ＹＥＳ』と判定した場合には、すなわち操作表示部１０が表示切替指示を受け付けたと判定した場合には、ステップＳ７に移行して図５の（ｂ）に示すコピー動作履歴詳細画面をタッチパネルに表示させ、ステップＳ８において『ＮＯ』と判定した場合には、すなわち操作表示部１０が表示切替指示を受け付けていない場合には、ステップＳ９に移行する。
【００３０】
以上のように、本実施形態に係る複合機Ａでは、ＣＰＵ１が、タッチパネル１０ａのコピー動作履歴詳細画面に動作履歴情報の一覧を表示させると共に詳細表示領域に動作履歴情報の詳細を表示させることによって、ユーザは容易に所望の動作履歴情報を見つけルことが出来ると共に動作履歴情報をコピー条件として設定することが出来る。また、ＣＰＵ１が、タッチパネル１０ａの押下によって選択された動作履歴情報の詳細を詳細表示領域に表示することによって、ユーザは、動作履歴情報の一覧に表示しきれない動作履歴情報の詳細な内容も正確に認識することが出来る。
【００３１】
以上、本発明の一実施形態について説明したが、本発明は上記実施形態に限定されることなく、例えば以下のような変形が考えられる。
以上、本発明の一実施形態について説明したが、本発明は上記実施形態に限定されることなく、例えば以下のような変形が考えられる。
（１）上記実施形態では、コピー機能の動作履歴情報をコピー動作履歴一覧画面及び動作履歴詳細画面に表示するようにしたが、本発明はこれに限定されない。
例えば、複合機におけるプリンタまたはＦＡＸ送信の動作履歴情報を動作履歴情報一覧画面及び動作履歴情報詳細画面に表示するようにしてもよい。また、複合機には、メール機能の搭載されたものもあり、メール送信における各種動作を動作履歴情報一覧画面及び動作履歴情報詳細画面へ表示するようにしてもよい。すなわち、本発明は、複合機等の画像形成装置に搭載されているあらゆる機能の動作履歴に適用することが出来る。
【００３２】
（２）上記実施形態では、コピー操作履歴画面に５件分の動作履歴情報を表示しているが、５件以上動作履歴情報が存在する場合には、コピー動作履歴一覧画面及びコピー動作履歴の右端に上下スクロールバーを表示させ、この上下スクロールバー操作することによって動作履歴情報を切り替え、５件分以上の動作履歴情報を表示するようにしてもよい。
【００３３】
（３）ＣＰＵ１は、現在の動作状況に照らし合わせて設定不可能な動作履歴情報をタッチパネル１０ａが表示している場合に、その動作履歴情報をグレイアウト表示すると共に操作表示部１０にその動作履歴情報に対するコピー条件決定指示を受け付けさせないようにしてもよい。
【図面の簡単な説明】
【００３４】
【図１】本発明の一実施形態に係る複合機Ａの機能ブロック図である。
【図２】本発明の一実施形態に係る複合機Ａの動作履歴情報テーブルを示す模式図である。
【図３】本発明の一実施形態に係る複合機Ａの動作を示すフローチャートである。
【図４】本発明の一実施形態に係る複合機Ａのコピー動作履歴一覧画面を示す図である。
【図５】本発明の一実施形態に係る複合機Ａのコピー動作履歴詳細画面を示す図である。
【符号の説明】
【００３５】
Ａ…複合機、１…ＣＰＵ、２…ＲＯＭ、３…ＲＡＭ、４…各種センサ群、５…用紙搬送部、６…画像読取部、７…画像データ記憶部、８…画像形成部、９…通信Ｉ／Ｆ部、１０…操作表示部、１０ａ…タッチパネル、１１…動作履歴情報記憶部
【図１】
2009284204.tif 000003
【図２】
2009284204.tif 000004
【図３】
2009284204.tif 000005
【図４】
2009284204.tif 000006
【図５】
2009284204.tif 000007